(57)【要約】【課題】      緩衝部材を使用せずにメッキ層にクラックを生じさせず、メッキ層の剥離を防止して外観の装飾性を維持した魚釣用リ−ルを提供することである。【解決手段】  プロテクタ６の止着部６ｂの挿通孔６ｃに連結部材７の筒部７ａの先端が挿入されると共に連結部材７の鍔部７ｂが筐体１の後端下側１ｂのネジ孔１ｃに位置合わせされ、連結部材７の透孔７ｃにネジ８が挿入されてネジ孔１ｃに螺合される。  ネジ８が締め付けられると、ネジ８の頭部８ａが筒部７ａの先端に押し当てられる。  プロテクタ６の止着部６ｂの内側の面と連結部材７の鍔部７ｂとの間には隙間Ｓがあるので止着部６ｂの外側の面がネジ８の頭部８ａの下面で擦られることがない。  プロテクタ６の上側６ｄはボス部６ｅが凹部１ｆに挿入され、凹部１ｅ側から挿入されたネジ９がネジ孔６ｆに螺合される。【選択図】        図１
2007252325.tif 000002
【特許請求の範囲】
【請求項１】
釣糸の巻き取り駆動機構を収容するリ−ル本体に取り外し可能に組み付けられるプロテクタを有する魚釣用リ−ルにおいて、前記リ−ル本体と前記プロテクタとの間に筒状の連結部材を介在させてネジで前記リ−ル本体に前記プロテクタを止着したことを特徴とする魚釣用リ−ル。
【請求項２】
前記プロテクタに止着部を形成し、前記筒状の連結部材に筒部を形成して該筒部を止着部の挿通孔に挿通すると共に前記プロテクタの止着部を連結部材に沿って軸方向に遊度を持ってネジで止着したことを特徴とする請求項１記載の魚釣用リ−ル。
【発明の詳細な説明】
【技術分野】
【０００１】
本発明は、リ−ル本体の側部にプロテクタを装着した魚釣用リ−ルの改良に関する。
【背景技術】
【０００２】
リ−ル本体の側部にプロテクタを装着した魚釣用リ−ルで、例えば魚釣用スピニングリ−ルでは、スプ−ルおよびロ−タの後端に突出する金属製のリ−ル本体を備え、リ−ル本体は上向きに延びる脚部を有し、この脚部の上端部が釣竿のリ−ルシ−トに固定されるようになっている。
この種の魚釣用スピニングリ−ルは、リ−ル本体の内部にスプ−ルを前後方向に往復動させるオシレ−ト機構やロ−タを回転させる巻き取り駆動機構が収容されている。
オシレ−ト機構の一部は、リ−ル本体の後端からリ−ル本体の外に露出すると共に、リ−ル本体の後端にオシレ−ト機構の回転軸を支持する軸受部が形成されている。
そのため、リ−ル本体の後端は凹凸の多い複雑な形状となっており、そのままでは外観的な面で問題が残る。
それと共に、例えばリール本体が釣場の岩等と干渉して傷付いてしまうとオシレ−ト機構の作動不良の原因となることがある。
そこで、従来、リ−ル本体の後端に取り外し可能なプロテクタを装着した魚釣用スピニングリ−ルが特許文献１および特許文献２で知られている。
特許文献１および特許文献２によると、複雑な形状のリ−ル本体の後端をプロテクタによって覆い隠すことができるため、リ−ル本体の傷付きを防止しつつ、リ−ル本体の後端の装飾性を高めることができる。
【０００３】
しかし、特許文献１および特許文献２で開示された魚釣用スピニングリ−ルによると、リ−ル本体にはプロテクタを受け止める座部を有し、この座部の上にネジを介してプロテクタが締め付け固定されている。
ネジはプロテクタを貫通して座部にねじ込まれている。
そのため、ネジを締め付けるとネジの頭部とリ−ル本体の座部との間でプロテクタが挟み込まれ、リ−ル本体に対するプロテクタの位置が定まる。
ところで、従来のプロテクタは合成樹脂の材料で造られていることが多く、その外表面が装飾性や意匠的効果を高めるためにメッキ層で覆われている。
したがって、ネジを強いトルクで締め込んだ場合にプロテクタの固定部分が過大な締付トルクによって押し潰されて変形することがある。
この結果、プロテクタの外表面を覆うメッキ層にクラックが発生したり、メッキ層が剥離することがあり、プロテクタの外観が悪くなる。
この対策として、ネジの頭部とプロテクタの間にＯリング等の緩衝部材を介在させ、この緩衝部材によって過大な締付トルクを緩和させることが考えられるが、緩衝部材を使用すると部品点数が多くなり、コストアップを招く要因となるので有効な解決案とはなり得ない。
また、リ−ル本体に座部（ボス）を設けると金型の構造が複雑になると共に、座部の周辺形状が制約を受けることになる。
更に、リ−ル本体が特にマグネシュウム合金の場合、ネジの取り付け取り外し作業を繰り返し行うと、座部の先端が損傷して電食し易く、最悪の場合、リ−ル本体の交換が必要になるという問題がある。
【特許文献１】実用新案登録第２５７３３１２号公報
【特許文献２】特開２００２−３３５８２３号公報
【発明の開示】
【発明が解決しようとする課題】
【０００４】
解決しようとする問題点は、特許文献１、特許文献２に開示されているプロテクタの外表面がメッキ層で覆われていると、ネジを強いトルクで締め込んだ場合にメッキ層にクラックが発生したり、メッキ層が剥離することがあり、プロテクタの外観が悪くなり、緩衝部材を使用すると部品点数が多くなり、コストアップを招く要因となることである。
【０００５】
本発明の目的は前記欠点に鑑み、緩衝部材を使用せずにメッキ層にクラックを生じさせず、メッキ層の剥離を防止して外観の装飾性を維持した魚釣用リ−ルを提供することである。
【課題を解決するための手段】
【０００６】
本発明の請求項１は、釣糸の巻き取り駆動機構を収容するリ−ル本体に取り外し可能に組み付けられるプロテクタを有する魚釣用リ−ルにおいて、前記リ−ル本体と前記プロテクタとの間に筒状の連結部材を介在させてネジで前記リ−ル本体に前記プロテクタを止着したことを要旨とするものである。
本発明の請求項２は、前記プロテクタに止着部を形成し、前記筒状の連結部材に筒部を形成して該筒部を止着部の挿通孔に挿通すると共に前記プロテクタの止着部を連結部材に沿って軸方向に遊度を持ってネジで止着したことを要旨とするものである。
【発明の効果】
【０００７】
本発明によれば、リ−ル本体の筐体のネジ孔位置とプロテクタの止着部の間に連結部材を介在させ、連結部材の筒部の先端は止着部の挿通孔に挿入し、筒部を通してネジがネジ孔に螺合されてネジの頭部で筒部を締め付け、プロテクタの止着部はネジの頭部で締め付けられることなくリ−ル本体に保持されると共に、プロテクタに形成された止着部を遊度を持った状態でネジの頭部で抜け止めしたことで、連結部材の筒部先端面がプロテクタに突き当たることはない。
このため、プロテクタをリ−ル本体の筐体に固定した時にプロテクタをリ−ル本体との間で挟み込もうとする過大な力がプロテクタに加わることはなく、プロテクタの変形や破損を防止できる。
また、リ−ル本体にプロテクタ取り付け用の座部（ボス）を設けていないので金型が簡単な構造になると共に周辺形状の自由度が向上する。
更に、過大な締付トルクでネジを締め付けて連結部材の筒部先端面が損傷してもリ−ル本体を交換するのではなく連結部材のみの交換で済むのでメンテナンス性が向上する。
【発明を実施するための最良の形態】
【０００８】
プロテクタ６の止着部６ｂの挿通孔６ｃに連結部材７の筒部７ａの先端が挿入されると共に連結部材７の鍔部７ｂがリ−ル本体Ａの筐体１の後端下側１ｂのネジ孔１ｃに位置合わせされて連結部材７の透孔７ｃにネジ８が挿入されてネジ孔１ｃに螺合される。
ネジ８が締め付けられると、ネジ８の頭部８ａが筒部７ａの先端に押し当てられる。
プロテクタ６の止着部６ｂの内側の面と連結部材７の鍔部７ｂとの間には隙間Ｓがあるので止着部６ｂの外側の面がネジ８の頭部８ａの下面で擦られることがない。
プロテクタ６の上側６ｄはボス部６ｅが凹部１ｆに挿入されて凹部１ｅ側から挿入されたネジ９がネジ孔６ｆに螺合される。
【実施例１】
【０００９】
以下、図示の実施例によって本発明を説明すると、図１、図２は第１実施例で魚釣用リ−ルを魚釣用スピニングリ−ルで述べると、図１は魚釣用スピニングリ−ルの一部断面側面図と要部拡大断面側面図、図２はリ−ル本体からプロテクタを分離した要部断面分解図である。
【００１０】
魚釣用スピニングリ−ルは、リ−ル本体Ａが箱形の筐体１と蓋体２で構成されている。
リ−ル本体Ａの前側にはロ−タ３とスプ−ル４が設けられ、リ−ル本体Ａの側部にはハンドル５が設けられ、ロ−タ３はリ−ル本体Ａ内の図示しない釣糸の巻き取り駆動機構を介してハンドル５で回転される。
ロ−タ３が回転されるとスプ−ル４は図示しないオシレ−ト機構を介して前後方向に往復動される。
筐体１の上側には上向きに延びる脚部１ａが形成されている。
筐体１の後端下側１ｂにはネジ孔１ｃが穿設されている。
筐体１の後端上側の脚部１ａの基部１ｄに前側と後側から夫々凹部１ｅ、１ｆが形成されて凹部の中心に透孔１ｇが形成されている。
リ−ル本体Ａの後端にはプロテクタ６が取り外し可能に組み付けられている。
プロテクタ６は合成樹脂材で形成されてリ−ル本体Ａの後端下側１ｂと後端部１ｈを覆うように形成されている。
プロテクタ６の下側６ａには凹部で止着部６ｂが形成されて止着部６ｂに挿通孔６ｃが穿設されている。
プロテクタ６の止着部６ｂの挿通孔６ｃには連結部材７の筒部７ａが挿入される。
プロテクタ６の上側６ｄの内側には凹部１ｆに挿入可能なボス部６ｅが形成されてボス部６ｅにネジ孔６ｆが穿設されている。
連結部材７は合成樹脂または金属材で筒部７ａと鍔部７ｂが断面凸字形に一体形成され、中心に透孔７ｃが穿設されている。
【００１１】
リ−ル本体Ａの後端にプロテクタ６が取り外し可能に組み付けられる時は、プロテクタ６の止着部６ｂの挿通孔６ｃに連結部材７の筒部７ａの先端が挿入されると共に連結部材７の鍔部７ｂが筐体１の後端下側１ｂのネジ孔１ｃに位置合わせされ、連結部材７の透孔７ｃにネジ８が挿入されてネジ孔１ｃに螺合される。
ネジ８が締め付けられると、ネジ８の頭部８ａが筒部７ａの先端に押し当てられる。
プロテクタ６の止着部６ｂの内側の面と連結部材７の鍔部７ｂとの間には隙間Ｓがあるので止着部６ｂの外側の面がネジ８の頭部８ａの下面で擦られることがない。
プロテクタ６の上側６ｄはボス部６ｅが凹部１ｆに挿入され、凹部１ｅ側から挿入されたネジ９がネジ孔６ｆに螺合される。
【００１２】
前記のように魚釣用スピニングリ−ルが構成されると、リ−ル本体Ａの筐体１のネジ孔１ｃ位置とプロテクタ６の止着部６ｂの間に連結部材７を介在させ、連結部材７の筒部７ａの先端は止着部６ｂの挿通孔６ｃに挿入し、筒部７ａを通してネジ８がネジ孔１ｃに螺合されてネジ８の頭部８ａで筒部７ａを締め付け、プロテクタ６の止着部６ｂはネジ８の頭部８ａで締め付けられることなくリ−ル本体Ａに保持されると共に、プロテクタ６に形成された止着部６ｂを遊度を持った状態でネジ８の頭部８ａで抜け止めしたことで、連結部材７の筒部７ａ先端面がプロテクタ６に突き当たることはない。
このため、プロテクタ６をリ−ル本体Ａの筐体１に固定した時にプロテクタ６をリ−ル本体Ａとの間で挟み込もうとする過大な力がプロテクタ６に加わることはなく、プロテクタ６の変形や破損を防止できる。
また、リ−ル本体Ａにプロテクタ取り付け用の座部（ボス）を設けていないので金型が簡単な構造になると共に周辺形状の自由度が向上する。
更に、過大な締付トルクでネジを締め付けて連結部材７の筒部７ａ先端面が損傷してもリ−ル本体Ａを交換するのではなく連結部材のみの交換で済むのでメンテナンス性が向上する。
【実施例２】
【００１３】
図３、図４は第２実施例で、図３は魚釣用スピニングリ−ルの一部断面側面図と要部拡大断面側面図、図４はリ−ル本体からプロテクタを分離した要部断面分解図である。
【００１４】
第２実施例では、連結部材７′は筒部のみで形成されている。
リ−ル本体Ａの筐体１の後端上側の脚部１ａの基部１ｄには後側から凹部１ｉと鈎部１ｊが形成されている。
プロテクタ６の上側６ｄの内側には腕部６ｇと鈎部６ｈが形成されている。
他の構成は前記第１実施例と同様であるため、それらの説明は省略する。
【００１５】
リ−ル本体Ａの後端にプロテクタ６が取り外し可能に組み付けられる時は、プロテクタ６の止着部６ｂの挿通孔６ｃに筒状の連結部材７′の先端が挿入されると共に連結部材７′が筐体１の後端下側１ｂのネジ孔１ｃに位置合わせされ、連結部材７′の透孔７ｃにネジ８が挿入されてネジ孔１ｃに螺合される。
【００１６】
ネジ８が締め付けられると、ネジ８の頭部８ａが筒状の連結部材７′の先端に押し当てられる。
プロテクタ６の止着部６ｂの内側の面と筐体１の面との間には隙間Ｓがあるので止着部６ｂの外側の面がネジ８の頭部８ａの下面で擦られることがない。
プロテクタ６の上側６ｄの鈎部６ｈは筐体１の鈎部１ｊに係止される。
【産業上の利用可能性】
【００１７】
なお、本発明は、前述した実施形態に限定されることなく、その要旨を逸脱しない範囲で種々変形実施が可能である。
【図面の簡単な説明】
【００１８】
【図１】第１実施例で、魚釣用スピニングリ−ルの一部断面側面図と要部拡大断面側面図である。
【図２】同リ−ル本体からプロテクタを分離した要部断面分解図である。
【図３】第２実施例で、魚釣用スピニングリ−ルの一部断面側面図と要部拡大断面側面図である。
【図４】同リ−ル本体からプロテクタを分離した要部断面分解図である。
【符号の説明】
【００１９】
Ａ  リ−ル本体
６  プロテクタ
６ｂ  止着部
６ｃ  挿通孔
７、７′  連結部材
７ａ  筒部
８  ネジ
【図１】
2007252325.tif 000003
【図２】
2007252325.tif 000004
【図３】
2007252325.tif 000005
【図４】
2007252325.tif 000006